(57)【要約】【課題】本発明はデスクトップコンピューター本体キャビネットを開示した。【解決手段】スタンドと、固定板と収納ボックスとを含み、前記スタンドの中には装置全体を移動させることと地面に固定することができる支持機構が設けられ、前記固定板が左右に対称的に二つ設けられ、前記固定板が前記スタンドの頂端に固定的に設けられ、二つの前記固定板の間には中部チャンバが形成され、前記中部チャンバの両側にはコンピューター本体の温度を下げることができるファンが設けられ、前記中部チャンバの頂部には雑物を収納することができる引き出し機構が設けられ、空間を節約し、防塵性能を向上させた。【選択図】図１
2020181546.tif 000002
【特許請求の範囲】
【請求項１】
正面視で、スタンドと、固定板と収納ボックスとを含み、前記スタンドの中には装置全体を移動させることと地面に固定することができる支持機構が設けられ、前記固定板が左右に対称的に二つ設けられ、前記固定板が前記スタンドの頂端に固定的に設けられ、二つの前記固定板の間には中部チャンバが形成され、前記中部チャンバの底壁にはスライド板が設けられ、前記スライド板の底端には四つの第一ローラーが固定的に設けられ、前記第一ローラーが前記中部チャンバの底壁と転がることができるように係合され、前記固定板の中にはいずれもベルト溝が設けられ、前記ベルト溝の片側端壁と中部チャンバとが連通溝によって連通され、前記ベルト溝のもう一つ側の端壁には円筒が固定的に設けられ、前記円筒の中には前記ベルト溝と外部とを連通している風吹きチャンバが設けられ、前記風吹きチャンバの中にはファンが設けられ、前記ファンが支持ロッドによって前記風吹きチャンバの中に支持され、左右両側の前記ファンが前記中部チャンバの中の空気を抽出することができ、前記ベルト溝の中には前記ファンに動力を提供するベルト機構が設けられ、前記収納ボックスの底端には二つのスライドガイドブロックが固定的に設けられ、前記スライドガイドブロックが前記固定板の頂端にスライドできるように設けられ、前記収納ボックスの中には引き出し機構が設けられ、前記引き出し機構が埃が中部チャンバの頂部から入ることを防止でき、防塵の作用を果たし、前記中部チャンバの前側には取り外すことができる前側板が取り付けられ、前記中部チャンバの後側にはリアカバーが取り付けられることを特徴とするデスクトップコンピューター本体キャビネット。
【請求項２】
前記支持機構は前記スタンドの底部端面に設けられた底チャンバを含み、前記底チャンバの中には底盤がスライドできるように設けられ、前記底盤の底端には四つの第二ローラーが固定的に設けられ、前記底チャンバの頂部の前記スタンドの中には二つの同じ設置の伝動チャンバが設けられ、二つの前記伝動チャンバの間には横軸が回転できるように設けられ、前記横軸の左側末端が左側の前記伝動チャンバの左側端壁の中に固定的に嵌められている第一モーターと固定的に連結され、前記伝動チャンバの中に位置している前記横軸の外周にはいずれも動力傘歯車が固定的に設けられ、前記伝動チャンバの底壁にはいずれもねじロッドが回転できるように設けられ、前記ねじロッドの頂端には前記動力傘歯車と噛合できるように設けられた従動傘歯車が固定的に設けられ、前記ねじロッドの底部の伸びている部分が前記底盤を貫通しており、前記底盤と前記ねじロッドとがねじ山によって係合し連結され、第一モーターの作動をコントロールすることにより、横軸を回転させ、これにより動力傘歯車が従動傘歯車を回転連動させ、従動傘歯車がねじロッドを回転連動させ、これにより底盤が上下に移動でき、これにより第二ローラーが地面と接触するまたは離れ、第二ローラーが地面と接触する時、スタンドを地面から離れさせ、これにより装置全体を移動することができ、底盤が完全に底チャンバの中に収納された時、スタンドが地面に固定され、これにより装置全体を固定することを特徴とする請求項１記載のデスクトップコンピューター本体キャビネット。
【請求項３】
前記ベルト機構は二つの前記ベルト溝の間に回転できるように設けられた動力軸を含み、前記動力軸の右端と第二モーターとが動力が伝達できるように連結され、前記第二モーターが右側の前記ベルト溝の右壁の中に固定的に嵌められており、前記ベルト溝の中の前記動力軸の外周には小型プーリーが固定的に設けられ、前記ファンの一端にはファン軸が固定的に設けられ、前記ファン軸の一端には大型プーリーが固定的に設けられ、前記大型プーリーと前記小型プーリーの間がベルトにより動力が伝達できるように連結され、第二モーターの作動をコントロールすることにより、動力軸を回転させ、これにより動力軸が小型プーリーを回転連動させ、これにより小型プーリーがベルトにより大型プーリーを回転連動させ、大型プーリーがファン軸を回転連動させることにより、ファンを回転させ、これにより中部チャンバの中のデスクトップコンピューター本体を放熱させることができることを特徴とする請求項１記載のデスクトップコンピューター本体キャビネット。
【請求項４】
前記引き出し機構は前記収納ボックスの中に設けられた収納チャンバを含み、前記収納チャンバの中には中型引き出しと小型引き出しがスライドできるように設けられ、前記小型引き出しの中には中型貯蔵チャンバと小型貯蔵チャンバが設けられ、前記中型引き出しと前記小型引き出しとが左右に対称的に設けられ、前記収納チャンバの中部には大型引き出しもスライドできるように設けられ、前記大型引き出しの中には大型貯蔵チャンバが設けられ、前記大型貯蔵チャンバが上下に対称的に設けられ、前記大型貯蔵チャンバと、前記中型貯蔵チャンバと前記小型貯蔵チャンバとの頂部がいずれも開口があるように設けられ、前記中型引き出しと、前記小型引き出しと前記大型引き出しの前側端面にはいずれもハンドルが固定的に設けられ、前記前側板の中には矩形スライド溝が設けられ、前記矩形スライド溝の中には仕切り板がスライドできるように設けられ、前記仕切り板と前記矩形スライド溝との間にはバネが取り付けられ、前記矩形スライド溝の前側にはロングスライド溝が設けられ、前記リアカバーには電線を通させられる棒状溝が設けられ、ハンドルを引くことにより、中型引き出しと、小型引き出しと、大型引き出しとを収納チャンバから引き出し、下に仕切り板をスライドさせることにより、デスクトップコンピューター本体の電源ボタンを露出し、これによりデスクトップコンピューター本体を起動させることができることを特徴とする請求項１記載のデスクトップコンピューター本体キャビネット。
【発明の詳細な説明】
【技術分野】
【０００１】
本発明は収納キャビネット分野を取り上げて、具体的にはデスクトップコンピューター本体キャビネットである。
【背景技術】
【０００２】
今市販のほとんどのデスクトップコンピューター本体キャビネットは単一の収納機能しか持たなく、構造が簡単であり、防塵性も悪く、コンピューター本体に埃が付きやすく、従って、多機能で防塵性のいいデスクトップコンピューター本体キャビネットを設計する必要がある。
【先行技術文献】
【特許文献】
【０００３】
【特許文献１】中国特許出願公開第１０４１０６９１５号明細書
【発明の概要】
【発明が解決しようとする課題】
【０００４】
本発明の目的はデスクトップコンピューター本体キャビネットを提供し、それは上記の現在の技術中の問題を解決できる。
【課題を解決するための手段】
【０００５】
本発明のデスクトップコンピューター本体キャビネットは、スタンドと、固定板と収納ボックスとを含み、前記スタンドの中には装置全体を移動させることと地面に固定することができる支持機構が設けられ、前記固定板が左右に対称的に二つ設けられ、前記固定板が前記スタンドの頂端に固定的に設けられ、二つの前記固定板の間には中部チャンバが形成され、前記中部チャンバの底壁にはスライド板が設けられ、前記スライド板の底端には四つの第一ローラーが固定的に設けられ、前記第一ローラーが前記中部チャンバの底壁と転がることができるように係合され、前記固定板の中にはいずれもベルト溝が設けられ、前記ベルト溝の片側端壁と中部チャンバとが連通溝によって連通され、前記ベルト溝のもう一つ側の端壁には円筒が固定的に設けられ、前記円筒の中には前記ベルト溝と外部とを連通している風吹きチャンバが設けられ、前記風吹きチャンバの中にはファンが設けられ、前記ファンが支持ロッドによって前記風吹きチャンバの中に支持され、左右両側の前記ファンが前記中部チャンバの中の空気を抽出することができ、前記ベルト溝の中には前記ファンに動力を提供するベルト機構が設けられ、前記収納ボックスの底端には二つのスライドガイドブロックが固定的に設けられ、前記スライドガイドブロックが前記固定板の頂端にスライドできるように設けられ、前記収納ボックスの中には引き出し機構が設けられ、前記引き出し機構が埃が中部チャンバの頂部から入ることを防止でき、防塵の作用を果たし、前記中部チャンバの前側には取り外すことができる前側板が取り付けられ、前記中部チャンバの後側にはリアカバーが取り付けられる。
【０００６】
更の技術プラン、前記支持機構は前記スタンドの底部端面に設けられた底チャンバを含み、前記底チャンバの中には底盤がスライドできるように設けられ、前記底盤の底端には四つの第二ローラーが固定的に設けられ、前記底チャンバの頂部の前記スタンドの中には二つの同じ設置の伝動チャンバが設けられ、二つの前記伝動チャンバの間には横軸が回転できるように設けられ、前記横軸の左側末端が左側の前記伝動チャンバの左側端壁の中に固定的に嵌められている第一モーターと固定的に連結され、前記伝動チャンバの中に位置している前記横軸の外周にはいずれも動力傘歯車が固定的に設けられ、前記伝動チャンバの底壁にはいずれもねじロッドが回転できるように設けられ、前記ねじロッドの頂端には前記動力傘歯車と噛合できるように設けられた従動傘歯車が固定的に設けられ、前記ねじロッドの底部の伸びている部分が前記底盤を貫通しており、前記底盤と前記ねじロッドとがねじ山によって係合し連結され、第一モーターの作動をコントロールすることにより、横軸を回転させ、これにより動力傘歯車が従動傘歯車を回転連動させ、従動傘歯車がねじロッドを回転連動させ、これにより底盤が上下に移動でき、これにより第二ローラーが地面と接触するまたは離れ、第二ローラーが地面と接触する時、スタンドを地面から離れさせ、これにより装置全体を移動することができ、底盤が完全に底チャンバの中に収納された時、スタンドが地面に固定され、これにより装置全体を固定する。
【０００７】
更の技術プラン、前記ベルト機構は二つの前記ベルト溝の間に回転できるように設けられた動力軸を含み、前記動力軸の右端と第二モーターとが動力が伝達できるように連結され、前記第二モーターが右側の前記ベルト溝の右壁の中に固定的に嵌められており、前記ベルト溝の中の前記動力軸の外周には小型プーリーが固定的に設けられ、前記ファンの一端にはファン軸が固定的に設けられ、前記ファン軸の一端には大型プーリーが固定的に設けられ、前記大型プーリーと前記小型プーリーの間がベルトにより動力が伝達できるように連結され、第二モーターの作動をコントロールすることにより、動力軸を回転させ、これにより動力軸が小型プーリーを回転連動させ、これにより小型プーリーがベルトにより大型プーリーを回転連動させ、大型プーリーがファン軸を回転連動させることにより、ファンを回転させ、これにより中部チャンバの中のデスクトップコンピューター本体を放熱させることができる。
【０００８】
更の技術プラン、前記引き出し機構は前記収納ボックスの中に設けられた収納チャンバを含み、前記収納チャンバの中には中型引き出しと小型引き出しがスライドできるように設けられ、前記小型引き出しの中には中型貯蔵チャンバと小型貯蔵チャンバが設けられ、前記中型引き出しと前記小型引き出しとが左右に対称的に設けられ、前記収納チャンバの中部には大型引き出しもスライドできるように設けられ、前記大型引き出しの中には大型貯蔵チャンバが設けられ、前記大型貯蔵チャンバが上下に対称的に設けられ、前記大型貯蔵チャンバと、前記中型貯蔵チャンバと前記小型貯蔵チャンバとの頂部がいずれも開口があるように設けられ、前記中型引き出しと、前記小型引き出しと前記大型引き出しの前側端面にはいずれもハンドルが固定的に設けられ、前記前側板の中には矩形スライド溝が設けられ、前記矩形スライド溝の中には仕切り板がスライドできるように設けられ、前記仕切り板と前記矩形スライド溝との間にはバネが取り付けられ、前記矩形スライド溝の前側にはロングスライド溝が設けられ、前記リアカバーには電線を通させられる棒状溝が設けられ、ハンドルを引くことにより、中型引き出しと、小型引き出しと、大型引き出しとを収納チャンバから引き出し、下に仕切り板をスライドさせることにより、デスクトップコンピューター本体の電源ボタンを露出し、これによりデスクトップコンピューター本体を起動させることができる。
【０００９】
使用する時に、まず収納ボックスを外し、デスクトップコンピューター本体をスライド板に置き、そして電線を棒状溝を通した後にデスクトップコンピューター本体と接続させ、その時に収納ボックスを固定板にかぶせ、デスクトップコンピューター本体を使用する時、下に仕切り板をスライドさせることにより、デスクトップコンピューター本体の電源ボタンを露出し、これによりデスクトップコンピューター本体を起動させることができ、そして仕切り板を放し、仕切り板がバネの作用により戻り、ハンドルを引くことにより、中型引き出しと、小型引き出しと大型引き出しを収納チャンバから引き出し、これにより大型貯蔵チャンバと、中型貯蔵チャンバと小型貯蔵チャンバの中の雑物を出し入れることができ、デスクトップコンピューター本体が長時間に作動されていると、第二モーターを起動し、これにより第二モーターが動力軸を回転連動させ、これにより動力軸が小型プーリーを回転連動させ、これにより小型プーリーがベルトにより大型プーリーを回転連動させ、大型プーリーがファン軸を連動させることにより、ファンを回転させ、これにより中部チャンバの中のデスクトップコンピューター本体を放熱させることができ、本装置を移動する時、第一モーターを起動し、これにより第一モーターが横軸を回転連動させ、これにより動力傘歯車が従動傘歯車を回転連動させ、従動傘歯車がねじロッドを回転連動させ、これにより底盤が上下に移動でき、下に移動する時、第二ローラーが地面と接触する時、スタンドを地面から離れさせ、これにより装置全体を移動させることができ、目標の位置まで移動した時、第一モーターをコントロールして反転させ、第二ローラーを地面から離れさせ、これにより底盤が完全に底チャンバの中に収納された時、スタンドが地面に固定され、これにより装置全体を固定する。
【発明の効果】
【００１０】
伝統的なデスクトップコンピューター本体キャビネットと比べ、本発明のデスクトップコンピューター本体キャビネットが地面に固定されることができ、移動する時は、第二ローラーで移動し、また、本発明の引き出し機構が埃がデスクトップコンピューター本体に付くことを防止し、また雑物も貯蔵でき、合理的に空間を利用し、ファンを設置することにより、本発明のデスクトップコンピューター本体キャビネットを更によくデスクトップコンピューター本体を放熱させる。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のデスクトップコンピューター本体キャビネットの内部全体構成略図
【図２】図２は本発明のデスクトップコンピューター本体キャビネットの外観略図
【図３】図３は本発明の前側板の断面図
【図４】図４は本発明のリアカバーの略図
【図５】図５は本発明の図１のＡの部分拡大略図
【発明を実施するための形態】
【００１３】
図１〜５を参照し、本発明のデスクトップコンピューター本体キャビネットは、スタンド１０と、固定板１３と収納ボックス２５とを含み、前記スタンド１０の中には装置全体を移動させることと地面に固定することができる支持機構７０が設けられ、前記固定板１３が左右に対称的に二つ設けられ、前記固定板１３が前記スタンド１０の頂端に固定的に設けられ、二つの前記固定板１３の間には中部チャンバ３９が形成され、前記中部チャンバ３９の底壁にはスライド板４８が設けられ、前記スライド板４８の底端には四つの第一ローラー４７が固定的に設けられ、前記第一ローラー４７が前記中部チャンバ３９の底壁と転がることができるように係合され、前記固定板１３の中にはいずれもベルト溝１４が設けられ、前記ベルト溝１４の片側端壁と中部チャンバ３９とが連通溝１６によって連通され、前記ベルト溝１４のもう一つ側の端壁には円筒２２が固定的に設けられ、前記円筒２２の中には前記ベルト溝１４と外部とを連通している風吹きチャンバ２３が設けられ、前記風吹きチャンバ２３の中にはファン２０が設けられ、前記ファン２０が支持ロッド２１によって前記風吹きチャンバ２３の中に支持され、左右両側の前記ファン２０が前記中部チャンバ３９の中の空気を抽出することができ、前記ベルト溝１４の中には前記ファン２０に動力を提供するベルト機構７１が設けられ、前記収納ボックス２５の底端には二つのスライドガイドブロック３２が固定的に設けられ、前記スライドガイドブロック３２が前記固定板１３の頂端にスライドできるように設けられ、前記収納ボックス２５の中には引き出し機構７２が設けられ、前記引き出し機構７２が埃が中部チャンバ３９の頂部から入ることを防止でき、防塵の作用を果たし、前記中部チャンバ３９の前側には取り外すことができる前側板４０が取り付けられ、前記中部チャンバ３９の後側にはリアカバー２４が取り付けられ、前記前側板４０と前記リアカバー２４とがいずれも防塵の作用を果たす。
【００１４】
前記支持機構７０は前記スタンド１０の底部端面に設けられた底チャンバ６０を含み、前記底チャンバ６０の中には底盤１１がスライドできるように設けられ、前記底盤１１の底端には四つの第二ローラー１２が固定的に設けられ、前記底チャンバ６０の頂部の前記スタンド１０の中には二つの同じ設置の伝動チャンバ４５が設けられ、二つの前記伝動チャンバ４５の間には横軸４４が回転できるように設けられ、前記横軸４４の左側末端が左側の前記伝動チャンバ４５の左側端壁の中に固定的に嵌められている第一モーター４１と固定的に連結され、前記伝動チャンバ４５の中に位置している前記横軸４４の外周にはいずれも動力傘歯車４２が固定的に設けられ、前記伝動チャンバ４５の底壁にはいずれもねじロッド４９が回転できるように設けられ、前記ねじロッド４９の頂端には前記動力傘歯車４２と噛合できるように設けられた従動傘歯車４３が固定的に設けられ、前記ねじロッド４９の底部の伸びている部分が前記底盤１１を貫通しており、前記底盤１１と前記ねじロッド４９とがねじ山によって係合し連結され、第一モーター４１の作動をコントロールすることにより、横軸４４を回転させ、これにより動力傘歯車４２が従動傘歯車４３を回転連動させ、従動傘歯車４３がねじロッド４９を回転連動させ、これにより底盤１１が上下に移動でき、これにより第二ローラー１２が地面と接触するまたは離れ、第二ローラー１２が地面と接触する時、スタンド１０を地面から離れさせ、これにより装置全体を移動することができ、底盤１１が完全に底チャンバ６０の中に収納された時、スタンド１０が地面に固定され、これにより装置全体を固定する。
【００１５】
前記ベルト機構７１は二つの前記ベルト溝１４の間に回転できるように設けられた動力軸４６を含み、前記動力軸４６の右端と第二モーター１７とが動力が伝達できるように連結され、前記第二モーター１７が右側の前記ベルト溝１４の右壁の中に固定的に嵌められており、前記ベルト溝１４の中の前記動力軸４６の外周には小型プーリー６１が固定的に設けられ、前記ファン２０の一端にはファン軸１９が固定的に設けられ、前記ファン軸１９の一端には大型プーリー１８が固定的に設けられ、前記大型プーリー１８と前記小型プーリー６１の間がベルト１５により動力が伝達できるように連結され、第二モーター１７の作動をコントロールすることにより、動力軸４６を回転させ、これにより動力軸４６が小型プーリー６１を回転連動させ、これにより小型プーリー６１がベルト１５により大型プーリー１８を回転連動させ、大型プーリー１８がファン軸１９を回転連動させることにより、ファン２０を回転させ、これにより中部チャンバ３９の中のデスクトップコンピューター本体を放熱させることができる。
【００１６】
前記引き出し機構７２は前記収納ボックス２５の中に設けられた収納チャンバ６５を含み、前記収納チャンバ６５の中には中型引き出し２７と小型引き出し２８がスライドできるように設けられ、前記小型引き出し２８の中には中型貯蔵チャンバ２６と小型貯蔵チャンバ２９が設けられ、前記中型引き出し２７と前記小型引き出し２８とが左右に対称的に設けられ、前記収納チャンバ６５の中部には大型引き出し３１もスライドできるように設けられ、前記大型引き出し３１の中には大型貯蔵チャンバ３０が設けられ、前記大型貯蔵チャンバ３１が上下に対称的に設けられ、前記大型貯蔵チャンバ３０と、前記中型貯蔵チャンバ２６と前記小型貯蔵チャンバ２９との頂部がいずれも開口があるように設けられ、前記中型引き出し２７と、前記小型引き出し２８と前記大型引き出し３１の前側端面にはいずれもハンドル３３が固定的に設けられ、前記前側板４０の中には矩形スライド溝３７が設けられ、前記矩形スライド溝３７の中には仕切り板３５がスライドできるように設けられ、前記仕切り板３５と前記矩形スライド溝３７との間にはバネ３６が取り付けられ、前記矩形スライド溝３７の前側にはロングスライド溝３４が設けられ、前記リアカバー２４には電線を通させられる棒状溝３８が設けられ、ハンドル３３を引くことにより、中型引き出し２７と、小型引き出し２８と、大型引き出し３１とを収納チャンバ６５から引き出し、下に仕切り板３５をスライドさせることにより、デスクトップコンピューター本体の電源ボタンを露出し、これによりデスクトップコンピューター本体を起動させることができる。
【００１７】
使用する時に、まず収納ボックス２５を外し、デスクトップコンピューター本体をスライド板４８に置き、そして電線を棒状溝３８を通した後にデスクトップコンピューター本体と接続させ、その時に収納ボックス２５を固定板１３にかぶせ、デスクトップコンピューター本体を使用する時、下に仕切り板３５をスライドさせることにより、デスクトップコンピューター本体の電源ボタンを露出し、これによりデスクトップコンピューター本体を起動させることができ、そして仕切り板を放し、仕切り板３５がバネ３６の作用により戻り、ハンドル３３を引くことにより、中型引き出し２７と、小型引き出し２８と大型引き出し３１を収納チャンバ６５から引き出し、これにより大型貯蔵チャンバ３０と、中型貯蔵チャンバ２６と小型貯蔵チャンバ２９の中の雑物を出し入れることができ、デスクトップコンピューター本体が長時間に作動されていると、第二モーター１７を起動し、これにより第二モーター１７が動力軸４６を回転連動させ、これにより動力軸４６が小型プーリー６１を回転連動させ、これにより小型プーリー６１がベルト１５により大型プーリー１８を回転連動させ、大型プーリー１８がファン軸１９を連動させることにより、ファン２０を回転させ、これにより中部チャンバ３９の中のデスクトップコンピューター本体を放熱させることができ、本装置を移動する時、第一モーター４１を起動し、これにより第一モーター４１が横軸４４を回転連動させ、これにより動力傘歯車４２が従動傘歯車４３を回転連動させ、従動傘歯車４３がねじロッド４９を回転連動させ、これにより底盤１１が上下に移動でき、下に移動する時、第二ローラー１２が地面と接触する時、スタンド１０を地面から離れさせ、これにより装置全体を移動させることができ、目標の位置まで移動した時、第一モーター４１をコントロールして反転させ、第二ローラー１２を地面から離れさせ、これにより底盤１１が完全に底チャンバ６０の中に収納された時、スタンド１０が地面に固定され、これにより装置全体を固定する。
【００１８】
本発明の有益効果は：伝統的なデスクトップコンピューター本体キャビネットと比べ、本発明のデスクトップコンピューター本体キャビネットが地面に固定されることができ、移動する時は、第二ローラーで移動し、また、本発明の引き出し機構が埃がデスクトップコンピューター本体に付くことを防止し、また雑物も貯蔵でき、合理的に空間を利用し、ファンを設置することにより、本発明のデスクトップコンピューター本体キャビネットを更によくデスクトップコンピューター本体を放熱させる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181546.tif 000003
【図２】
2020181546.tif 000004
【図３】
2020181546.tif 000005
【図４】
2020181546.tif 000006
【図５】
2020181546.tif 000007
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
正面視で、スタンドと、固定板と収納ボックスとを含み、前記スタンドの中には装置全体を移動させることと地面に固定することができる支持機構が設けられ、前記固定板が左右に対称的に二つ設けられ、前記固定板が前記スタンドの頂端に固定的に設けられ、二つの前記固定板の間には中部チャンバが形成され、前記中部チャンバの底壁にはスライド板が設けられ、前記スライド板の底端には四つの第一ローラーが固定的に設けられ、前記固定板の中にはいずれもベルト溝が設けられ、前記ベルト溝の片側端壁と中部チャンバとが連通溝によって連通され、前記ベルト溝のもう一つ側の端壁には円筒が固定的に設けられ、前記円筒の中には前記ベルト溝と外部とを連通している風吹きチャンバが設けられ、前記風吹きチャンバの中にはファンが設けられ、前記ファンが支持ロッドによって前記風吹きチャンバの中に支持され、左右両側の前記ファンが前記中部チャンバの中の空気を抽出することができ、前記ベルト溝の中には前記ファンに動力を提供するベルト機構が設けられ、前記収納ボックスの底端には二つのスライドガイドブロックが固定的に設けられ、前記スライドガイドブロックが前記固定板の頂端にスライドできるように設けられ、前記収納ボックスの中には引き出し機構が設けられ、前記引き出し機構が埃が中部チャンバの頂部から入ることを防止でき、防塵の作用を果たし、前記中部チャンバの前側には取り外すことができる前側板が取り付けられ、前記中部チャンバの後側にはリアカバーが取り付けられることを特徴とするデスクトップコンピューター本体キャビネット。
【請求項２】
前記支持機構は前記スタンドの底部端面に設けられた底チャンバを含み、前記底チャンバの中には底盤がスライドできるように設けられ、前記底盤の底端には四つの第二ローラーが固定的に設けられ、前記底チャンバの頂部の前記スタンドの中には二つの同じ設置の伝動チャンバが設けられ、二つの前記伝動チャンバの間には横軸が回転できるように設けられ、前記横軸の左側末端が左側の前記伝動チャンバの左側端壁の中に固定的に嵌められている第一モーターと固定的に連結され、前記伝動チャンバの中に位置している前記横軸の外周にはいずれも動力傘歯車が固定的に設けられ、前記伝動チャンバの底壁にはいずれもねじロッドが回転できるように設けられ、前記ねじロッドの頂端には前記動力傘歯車と噛合できるように設けられた従動傘歯車が固定的に設けられ、前記ねじロッドの底部の伸びている部分が前記底盤を貫通しており、前記底盤と前記ねじロッドとがねじ山によって係合し連結され、第一モーターの作動をコントロールすることにより、横軸を回転させ、これにより動力傘歯車が従動傘歯車を回転連動させ、従動傘歯車がねじロッドを回転連動させ、これにより底盤が上下に移動でき、これにより第二ローラーが地面と接触するまたは離れ、第二ローラーが地面と接触する時、スタンドを地面から離れさせ、これにより装置全体を移動することができ、底盤が完全に底チャンバの中に収納された時、スタンドが地面に固定され、これにより装置全体を固定することを特徴とする請求項１記載のデスクトップコンピューター本体キャビネット。
【請求項３】
前記ベルト機構は二つの前記ベルト溝の間に回転できるように設けられた動力軸を含み、前記動力軸の右端と第二モーターとが動力が伝達できるように連結され、前記第二モーターが右側の前記ベルト溝の右壁の中に固定的に嵌められており、前記ベルト溝の中の前記動力軸の外周には小型プーリーが固定的に設けられ、前記ファンの一端にはファン軸が固定的に設けられ、前記ファン軸の一端には大型プーリーが固定的に設けられ、前記大型プーリーと前記小型プーリーの間がベルトにより動力が伝達できるように連結され、第二モーターの作動をコントロールすることにより、動力軸を回転させ、これにより動力軸が小型プーリーを回転連動させ、これにより小型プーリーがベルトにより大型プーリーを回転連動させ、大型プーリーがファン軸を回転連動させることにより、ファンを回転させ、これにより中部チャンバの中のデスクトップコンピューター本体を放熱させることができることを特徴とする請求項１記載のデスクトップコンピューター本体キャビネット。
【請求項４】
前記引き出し機構は前記収納ボックスの中に設けられた収納チャンバを含み、前記収納チャンバの中には中型引き出しと小型引き出しがスライドできるように設けられ、前記小型引き出しの中には中型貯蔵チャンバと小型貯蔵チャンバが設けられ、前記中型引き出しと前記小型引き出しとが左右に対称的に設けられ、前記収納チャンバの中部には大型引き出しもスライドできるように設けられ、前記大型引き出しの中には大型貯蔵チャンバが設けられ、前記大型貯蔵チャンバが上下に対称的に設けられ、前記大型貯蔵チャンバと、前記中型貯蔵チャンバと前記小型貯蔵チャンバとの頂部がいずれも開口があるように設けられ、前記中型引き出しと、前記小型引き出しと前記大型引き出しの前側端面にはいずれもハンドルが固定的に設けられ、前記前側板の中には矩形スライド溝が設けられ、前記矩形スライド溝の中には仕切り板がスライドできるように設けられ、前記仕切り板と前記矩形スライド溝との間にはバネが設けられ、前記矩形スライド溝の前側内壁の中にはロングスライド溝が設けられ、前記仕切り板の前端が前記ロングスライド溝を経由して前記前側板の前側端面の外部まで伸びており、前記リアカバーには電線を通させられる棒状溝が設けられ、ハンドルを引くことにより、中型引き出しと、小型引き出しと、大型引き出しとを収納チャンバから引き出し、下に仕切り板をスライドさせることにより、デスクトップコンピューター本体の電源ボタンを露出し、これによりデスクトップコンピューター本体を起動させることができることを特徴とする請求項１記載のデスクトップコンピューター本体キャビネット。
【手続補正２】
【補正対象書類名】明細書
【補正対象項目名】全文
【補正方法】変更
【補正の内容】
【発明の詳細な説明】
【技術分野】
【０００１】
本発明は収納キャビネット分野を取り上げて、具体的にはデスクトップコンピューター本体キャビネットである。
【背景技術】
【０００２】
今市販のほとんどのデスクトップコンピューター本体キャビネットは単一の収納機能しか持たなく、構造が簡単であり、防塵性も悪く、コンピューター本体に埃が付きやすく、従って、多機能で防塵性のいいデスクトップコンピューター本体キャビネットを設計する必要がある。
【先行技術文献】
【特許文献】
【０００３】
【特許文献１】中国特許出願公開第１０４１０６９１５号明細書
【発明の概要】
【発明が解決しようとする課題】
【０００４】
本発明の目的はデスクトップコンピューター本体キャビネットを提供し、それは上記の現在の技術中の問題を解決できる。
【課題を解決するための手段】
【０００５】
本発明のデスクトップコンピューター本体キャビネットは、スタンドと、固定板と収納ボックスとを含み、前記スタンドの中には装置全体を移動させることと地面に固定することができる支持機構が設けられ、前記固定板が左右に対称的に二つ設けられ、前記固定板が前記スタンドの頂端に固定的に設けられ、二つの前記固定板の間には中部チャンバが形成され、前記中部チャンバの底壁にはスライド板が設けられ、前記スライド板の底端には四つの第一ローラーが固定的に設けられ、前記固定板の中にはいずれもベルト溝が設けられ、前記ベルト溝の片側端壁と中部チャンバとが連通溝によって連通され、前記ベルト溝のもう一つ側の端壁には円筒が固定的に設けられ、前記円筒の中には前記ベルト溝と外部とを連通している風吹きチャンバが設けられ、前記風吹きチャンバの中にはファンが設けられ、前記ファンが支持ロッドによって前記風吹きチャンバの中に支持され、左右両側の前記ファンが前記中部チャンバの中の空気を抽出することができ、前記ベルト溝の中には前記ファンに動力を提供するベルト機構が設けられ、前記収納ボックスの底端には二つのスライドガイドブロックが固定的に設けられ、前記スライドガイドブロックが前記固定板の頂端にスライドできるように設けられ、前記収納ボックスの中には引き出し機構が設けられ、前記引き出し機構が埃が中部チャンバの頂部から入ることを防止でき、防塵の作用を果たし、前記中部チャンバの前側には取り外すことができる前側板が取り付けられ、前記中部チャンバの後側にはリアカバーが取り付けられる。
【０００６】
更の技術プラン、前記支持機構は前記スタンドの底部端面に設けられた底チャンバを含み、前記底チャンバの中には底盤がスライドできるように設けられ、前記底盤の底端には四つの第二ローラーが固定的に設けられ、前記底チャンバの頂部の前記スタンドの中には二つの同じ設置の伝動チャンバが設けられ、二つの前記伝動チャンバの間には横軸が回転できるように設けられ、前記横軸の左側末端が左側の前記伝動チャンバの左側端壁の中に固定的に嵌められている第一モーターと固定的に連結され、前記伝動チャンバの中に位置している前記横軸の外周にはいずれも動力傘歯車が固定的に設けられ、前記伝動チャンバの底壁にはいずれもねじロッドが回転できるように設けられ、前記ねじロッドの頂端には前記動力傘歯車と噛合できるように設けられた従動傘歯車が固定的に設けられ、前記ねじロッドの底部の伸びている部分が前記底盤を貫通しており、前記底盤と前記ねじロッドとがねじ山によって係合し連結され、第一モーターの作動をコントロールすることにより、横軸を回転させ、これにより動力傘歯車が従動傘歯車を回転連動させ、従動傘歯車がねじロッドを回転連動させ、これにより底盤が上下に移動でき、これにより第二ローラーが地面と接触するまたは離れ、第二ローラーが地面と接触する時、スタンドを地面から離れさせ、これにより装置全体を移動することができ、底盤が完全に底チャンバの中に収納された時、スタンドが地面に固定され、これにより装置全体を固定する。
【０００７】
更の技術プラン、前記ベルト機構は二つの前記ベルト溝の間に回転できるように設けられた動力軸を含み、前記動力軸の右端と第二モーターとが動力が伝達できるように連結され、前記第二モーターが右側の前記ベルト溝の右壁の中に固定的に嵌められており、前記ベルト溝の中の前記動力軸の外周には小型プーリーが固定的に設けられ、前記ファンの一端にはファン軸が固定的に設けられ、前記ファン軸の一端には大型プーリーが固定的に設けられ、前記大型プーリーと前記小型プーリーの間がベルトにより動力が伝達できるように連結され、第二モーターの作動をコントロールすることにより、動力軸を回転させ、これにより動力軸が小型プーリーを回転連動させ、これにより小型プーリーがベルトにより大型プーリーを回転連動させ、大型プーリーがファン軸を回転連動させることにより、ファンを回転させ、これにより中部チャンバの中のデスクトップコンピューター本体を放熱させることができる。
【０００８】
更の技術プラン、前記引き出し機構は前記収納ボックスの中に設けられた収納チャンバを含み、前記収納チャンバの中には中型引き出しと小型引き出しがスライドできるように設けられ、前記小型引き出しの中には中型貯蔵チャンバと小型貯蔵チャンバが設けられ、前記中型引き出しと前記小型引き出しとが左右に対称的に設けられ、前記収納チャンバの中部には大型引き出しもスライドできるように設けられ、前記大型引き出しの中には大型貯蔵チャンバが設けられ、前記大型貯蔵チャンバが上下に対称的に設けられ、前記大型貯蔵チャンバと、前記中型貯蔵チャンバと前記小型貯蔵チャンバとの頂部がいずれも開口があるように設けられ、前記中型引き出しと、前記小型引き出しと前記大型引き出しの前側端面にはいずれもハンドルが固定的に設けられ、前記前側板の中には矩形スライド溝が設けられ、前記矩形スライド溝の中には仕切り板がスライドできるように設けられ、前記仕切り板と前記矩形スライド溝との間にはバネが設けられ、前記矩形スライド溝の前側内壁の中にはロングスライド溝が設けられ、前記仕切り板の前端が前記ロングスライド溝を経由して前記前側板の前側端面の外部まで伸びており、前記リアカバーには電線を通させられる棒状溝が設けられ、ハンドルを引くことにより、中型引き出しと、小型引き出しと、大型引き出しとを収納チャンバから引き出し、下に仕切り板をスライドさせることにより、デスクトップコンピューター本体の電源ボタンを露出し、これによりデスクトップコンピューター本体を起動させることができる。
【０００９】
使用する時に、まず収納ボックスを外し、デスクトップコンピューター本体をスライド板に置き、そして電線を棒状溝を通した後にデスクトップコンピューター本体と接続させ、その時に収納ボックスを固定板にかぶせ、デスクトップコンピューター本体を使用する時、下に仕切り板をスライドさせることにより、デスクトップコンピューター本体の電源ボタンを露出し、これによりデスクトップコンピューター本体を起動させることができ、そして仕切り板を放し、仕切り板がバネの作用により戻り、ハンドルを引くことにより、中型引き出しと、小型引き出しと大型引き出しを収納チャンバから引き出し、これにより大型貯蔵チャンバと、中型貯蔵チャンバと小型貯蔵チャンバの中の雑物を出し入れることができ、デスクトップコンピューター本体が長時間に作動されていると、第二モーターを起動し、これにより第二モーターが動力軸を回転連動させ、これにより動力軸が小型プーリーを回転連動させ、これにより小型プーリーがベルトにより大型プーリーを回転連動させ、大型プーリーがファン軸を連動させることにより、ファンを回転させ、これにより中部チャンバの中のデスクトップコンピューター本体を放熱させることができ、本装置を移動する時、第一モーターを起動し、これにより第一モーターが横軸を回転連動させ、これにより動力傘歯車が従動傘歯車を回転連動させ、従動傘歯車がねじロッドを回転連動させ、これにより底盤が上下に移動でき、下に移動する時、第二ローラーが地面と接触する時、スタンドを地面から離れさせ、これにより装置全体を移動させることができ、目標の位置まで移動した時、第一モーターをコントロールして反転させ、第二ローラーを地面から離れさせ、これにより底盤が完全に底チャンバの中に収納された時、スタンドが地面に固定され、これにより装置全体を固定する。
【発明の効果】
【００１０】
伝統的なデスクトップコンピューター本体キャビネットと比べ、本発明のデスクトップコンピューター本体キャビネットが地面に固定されることができ、移動する時は、第二ローラーで移動し、また、本発明の引き出し機構が埃がデスクトップコンピューター本体に付くことを防止し、また雑物も貯蔵でき、合理的に空間を利用し、ファンを設置することにより、本発明のデスクトップコンピューター本体キャビネットを更によくデスクトップコンピューター本体を放熱させる。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のデスクトップコンピューター本体キャビネットの内部全体構成略図
【図２】図２は本発明のデスクトップコンピューター本体キャビネットの外観略図
【図３】図３は本発明の前側板の断面図
【図４】図４は本発明のリアカバーの略図
【図５】図５は本発明の図１のＡの部分拡大略図
【発明を実施するための形態】
【００１３】
図１〜５を参照し、本発明のデスクトップコンピューター本体キャビネットは、スタンド１０と、固定板１３と収納ボックス２５とを含み、前記スタンド１０の中には装置全体を移動させることと地面に固定することができる支持機構７０が設けられ、前記固定板１３が左右に対称的に二つ設けられ、前記固定板１３が前記スタンド１０の頂端に固定的に設けられ、二つの前記固定板１３の間には中部チャンバ３９が形成され、前記中部チャンバ３９の底壁にはスライド板４８が設けられ、前記スライド板４８の底端には四つの第一ローラー４７が固定的に設けられ、前記固定板１３の中にはいずれもベルト溝１４が設けられ、前記ベルト溝１４の片側端壁と中部チャンバ３９とが連通溝１６によって連通され、前記ベルト溝１４のもう一つ側の端壁には円筒２２が固定的に設けられ、前記円筒２２の中には前記ベルト溝１４と外部とを連通している風吹きチャンバ２３が設けられ、前記風吹きチャンバ２３の中にはファン２０が設けられ、前記ファン２０が支持ロッド２１によって前記風吹きチャンバ２３の中に支持され、左右両側の前記ファン２０が前記中部チャンバ３９の中の空気を抽出することができ、前記ベルト溝１４の中には前記ファン２０に動力を提供するベルト機構７１が設けられ、前記収納ボックス２５の底端には二つのスライドガイドブロック３２が固定的に設けられ、前記スライドガイドブロック３２が前記固定板１３の頂端にスライドできるように設けられ、前記収納ボックス２５の中には引き出し機構７２が設けられ、前記引き出し機構７２が埃が中部チャンバ３９の頂部から入ることを防止でき、防塵の作用を果たし、前記中部チャンバ３９の前側には取り外すことができる前側板４０が取り付けられ、前記中部チャンバ３９の後側にはリアカバー２４が取り付けられ、前記前側板４０と前記リアカバー２４とがいずれも防塵の作用を果たす。
【００１４】
前記支持機構７０は前記スタンド１０の底部端面に設けられた底チャンバ６０を含み、前記底チャンバ６０の中には底盤１１がスライドできるように設けられ、前記底盤１１の底端には四つの第二ローラー１２が固定的に設けられ、前記底チャンバ６０の頂部の前記スタンド１０の中には二つの同じ設置の伝動チャンバ４５が設けられ、二つの前記伝動チャンバ４５の間には横軸４４が回転できるように設けられ、前記横軸４４の左側末端が左側の前記伝動チャンバ４５の左側端壁の中に固定的に嵌められている第一モーター４１と固定的に連結され、前記伝動チャンバ４５の中に位置している前記横軸４４の外周にはいずれも動力傘歯車４２が固定的に設けられ、前記伝動チャンバ４５の底壁にはいずれもねじロッド４９が回転できるように設けられ、前記ねじロッド４９の頂端には前記動力傘歯車４２と噛合できるように設けられた従動傘歯車４３が固定的に設けられ、前記ねじロッド４９の底部の伸びている部分が前記底盤１１を貫通しており、前記底盤１１と前記ねじロッド４９とがねじ山によって係合し連結され、第一モーター４１の作動をコントロールすることにより、横軸４４を回転させ、これにより動力傘歯車４２が従動傘歯車４３を回転連動させ、従動傘歯車４３がねじロッド４９を回転連動させ、これにより底盤１１が上下に移動でき、これにより第二ローラー１２が地面と接触するまたは離れ、第二ローラー１２が地面と接触する時、スタンド１０を地面から離れさせ、これにより装置全体を移動することができ、底盤１１が完全に底チャンバ６０の中に収納された時、スタンド１０が地面に固定され、これにより装置全体を固定する。
【００１５】
前記ベルト機構７１は二つの前記ベルト溝１４の間に回転できるように設けられた動力軸４６を含み、前記動力軸４６の右端と第二モーター１７とが動力が伝達できるように連結され、前記第二モーター１７が右側の前記ベルト溝１４の右壁の中に固定的に嵌められており、前記ベルト溝１４の中の前記動力軸４６の外周には小型プーリー６１が固定的に設けられ、前記ファン２０の一端にはファン軸１９が固定的に設けられ、前記ファン軸１９の一端には大型プーリー１８が固定的に設けられ、前記大型プーリー１８と前記小型プーリー６１の間がベルト１５により動力が伝達できるように連結され、第二モーター１７の作動をコントロールすることにより、動力軸４６を回転させ、これにより動力軸４６が小型プーリー６１を回転連動させ、これにより小型プーリー６１がベルト１５により大型プーリー１８を回転連動させ、大型プーリー１８がファン軸１９を回転連動させることにより、ファン２０を回転させ、これにより中部チャンバ３９の中のデスクトップコンピューター本体を放熱させることができる。
【００１６】
前記引き出し機構７２は前記収納ボックス２５の中に設けられた収納チャンバ６５を含み、前記収納チャンバ６５の中には中型引き出し２７と小型引き出し２８がスライドできるように設けられ、前記小型引き出し２８の中には中型貯蔵チャンバ２６と小型貯蔵チャンバ２９が設けられ、前記中型引き出し２７と前記小型引き出し２８とが左右に対称的に設けられ、前記収納チャンバ６５の中部には大型引き出し３１もスライドできるように設けられ、前記大型引き出し３１の中には大型貯蔵チャンバ３０が設けられ、前記大型貯蔵チャンバ３１が上下に対称的に設けられ、前記大型貯蔵チャンバ３０と、前記中型貯蔵チャンバ２６と前記小型貯蔵チャンバ２９との頂部がいずれも開口があるように設けられ、前記中型引き出し２７と、前記小型引き出し２８と前記大型引き出し３１の前側端面にはいずれもハンドル３３が固定的に設けられ、前記前側板４０の中には矩形スライド溝３７が設けられ、前記矩形スライド溝３７の中には仕切り板３５がスライドできるように設けられ、前記仕切り板３５と前記矩形スライド溝３７との間にはバネ３６が設けられ、前記矩形スライド溝３７の前側内壁の中にはロングスライド溝３４が設けられ、前記仕切り板３５の前端が前記ロングスライド溝３４を経由して前記前側板４０の前側端面の外部まで伸びており、前記リアカバー２４には電線を通させられる棒状溝３８が設けられ、ハンドル３３を引くことにより、中型引き出し２７と、小型引き出し２８と、大型引き出し３１とを収納チャンバ６５から引き出し、下に仕切り板３５をスライドさせることにより、デスクトップコンピューター本体の電源ボタンを露出し、これによりデスクトップコンピューター本体を起動させることができる。
【００１７】
使用する時に、まず収納ボックス２５を外し、デスクトップコンピューター本体をスライド板４８に置き、そして電線を棒状溝３８を通した後にデスクトップコンピューター本体と接続させ、その時に収納ボックス２５を固定板１３にかぶせ、デスクトップコンピューター本体を使用する時、下に仕切り板３５をスライドさせることにより、デスクトップコンピューター本体の電源ボタンを露出し、これによりデスクトップコンピューター本体を起動させることができ、そして仕切り板を放し、仕切り板３５がバネ３６の作用により戻り、ハンドル３３を引くことにより、中型引き出し２７と、小型引き出し２８と大型引き出し３１を収納チャンバ６５から引き出し、これにより大型貯蔵チャンバ３０と、中型貯蔵チャンバ２６と小型貯蔵チャンバ２９の中の雑物を出し入れることができ、デスクトップコンピューター本体が長時間に作動されていると、第二モーター１７を起動し、これにより第二モーター１７が動力軸４６を回転連動させ、これにより動力軸４６が小型プーリー６１を回転連動させ、これにより小型プーリー６１がベルト１５により大型プーリー１８を回転連動させ、大型プーリー１８がファン軸１９を連動させることにより、ファン２０を回転させ、これにより中部チャンバ３９の中のデスクトップコンピューター本体を放熱させることができ、本装置を移動する時、第一モーター４１を起動し、これにより第一モーター４１が横軸４４を回転連動させ、これにより動力傘歯車４２が従動傘歯車４３を回転連動させ、従動傘歯車４３がねじロッド４９を回転連動させ、これにより底盤１１が上下に移動でき、下に移動する時、第二ローラー１２が地面と接触する時、スタンド１０を地面から離れさせ、これにより装置全体を移動させることができ、目標の位置まで移動した時、第一モーター４１をコントロールして反転させ、第二ローラー１２を地面から離れさせ、これにより底盤１１が完全に底チャンバ６０の中に収納された時、スタンド１０が地面に固定され、これにより装置全体を固定する。
【００１８】
本発明の有益効果は：伝統的なデスクトップコンピューター本体キャビネットと比べ、本発明のデスクトップコンピューター本体キャビネットが地面に固定されることができ、移動する時は、第二ローラーで移動し、また、本発明の引き出し機構が埃がデスクトップコンピューター本体に付くことを防止し、また雑物も貯蔵でき、合理的に空間を利用し、ファンを設置することにより、本発明のデスクトップコンピューター本体キャビネットを更によくデスクトップコンピューター本体を放熱させる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。